(57)【要約】【課題】  意匠性を向上させることができ、運転情報を視認させることが可能な空気調和装置の室内機を提供する。【解決手段】  室内の上方空間に配置される空気調和装置１００の室内機１であって、ケーシング３と、表示部７とを備えている。ケーシング３は、下面部６を有している。表示部７は、運転情報を示す。ケーシング３の下面部６のうち少なくとも表示部７の近傍部分は、表示部７の下端部分７１ａよりも上に配置されている。【選択図】      図７
2005106398.tif 000002
【特許請求の範囲】
【請求項１】
室内の上方空間に配置される空気調和装置の室内機（１）であって、
下面部（６）を有するケーシング（３）と、
運転情報を示す表示部（７）と、
を備え、
前記下面部（６）のうち少なくとも前記表示部（７）の近傍部分は、前記表示部（７）の下端部分よりも上に配置されている、
空気調和装置の室内機（１）。
【請求項２】
前記下面部（６）は、前記表示部（７）の配置されている近傍部分が上向きに窪んでおり、
前記表示部の下端部分（７１ａ）は、前記下面部の下端部分（１６２）よりも上に配置されている、
請求項１に記載の空気調和装置の室内機（１）。
【請求項３】
前記下面部（６）と略同一平面上において前記表示部（７）と接する位置に光透過性の透過部（８）をさらに備えた、
請求項１または２に記載の空気調和装置の室内機（１）。
【請求項４】
前記透過部（８）は、前記表示部（７）よりも前面側に配置される、
請求項３に記載の空気調和装置の室内機（１）。
【請求項５】
前記透過部（８）の上側に、外部からの無線データを受信できる受信部（９）をさらに備えた、
請求項４に記載の空気調和装置の室内機（１）。
【請求項６】
略直方体形状の、
請求項１から５のいずれかに記載の空気調和装置の室内機（１）。
【請求項７】
前記表示部（７）は、運転状態を示すための発光素子（７３）を有している、
請求項１から６のいずれかに記載の空気調和装置の室内機（１）。
【請求項８】
下端部分が前記下面部（６）の位置に対応するようにして配置され可動する前面部（５）をさらに備えた、
請求項１から７のいずれかに記載の空気調和装置の室内機（１）。
【請求項９】
前記前面部（５）は、第１パネル（５１，５２，５３）と第２パネル（５１，５２，５３）とを有しており、
可動時に前記第１パネル（５１，５２，５３）と前記第２パネル（５１，５２，５３）との少なくとも一部が重なる、
請求項８に記載の空気調和装置の室内機（１）。
【発明の詳細な説明】
【技術分野】
【０００１】
本発明は、空気調和装置の室内機、特に、室内の上方空間に配置される空気調和装置の室内機に関する。
【背景技術】
【０００２】
近年の壁掛け型の空気調和装置では、空調対象の空間にいる人間に対して空気調和装置の運転情報を伝えることができるようにするために表示部分が設けられている。この表示部分は、室内機の前面部分に配置され、空調対象の室内空間にいる人間にとって良く見えるように設けられている。例えば、以下に示す特許文献においては、表示部分は、前面部分に設けられた表示窓と、この表示窓の内側に配置されて表示素子が実装されたプリント基板とから構成されており、空気調和装置の運転状態に応じた表示を行うことができるように構成されている。
【０００３】
なお、この表示部分は、具体的には表示素子としてＬＥＤ等を用いており、このＬＥＤ等の点灯状態によって空気調和装置の運転状態を表示することができるようになっている。
【特許文献１】特開２００１−７５５０７号公報
【発明の開示】
【発明が解決しようとする課題】
【０００４】
しかしながら、従来の壁掛け型の空気調和装置では、室内機が室内の壁に設置された場合に表示部分が室内機の前面部に配置されているために、空調対象の室内空間にいる人間の視野に入りやすい。このため、空気調和装置の室内機を簡潔に見せたい場合であっても、表示パネルが必要以上に目立ってしまう等により、室内機の見映えが損なわれてしまうことがある。一方、表示部分を空調対象の室内空間にいる人間の視野に入りにくい位置に配置する場合には、空気調和装置の運転情報を室内空間にいる人間に把握させることが難しくなってしまう。
【０００５】
本発明の課題は、意匠性を向上させることができ、運転情報を視認させることが可能な空気調和装置の室内機を提供することにある。
【課題を解決するための手段】
【０００６】
請求項１に記載の空気調和装置の室内機は、室内の上方空間に配置される空気調和装置の室内機であって、ケーシングと、表示部とを備えている。ケーシングは、下面部を有している。表示部は、運転情報を示す。ここでの運転情報には、例えば、空気調和装置の冷房運転状態、暖房運転状態、除湿運転状態や設定温度調節のための一次的な運転停止状態の等の各種運転状態の情報が含まれる。ケーシングの下面部のうち少なくとも表示部の近傍部分は、表示部の下端部分よりも上に配置されている。
【０００７】
従来の空気調和装置の室内機では、運転状態を示すための表示部は、室内機の正面部分のパネルに配置されている。これは、室内にいる人間にとって、空気調和装置の運転状態を視認し易いようにするためである。ところが、このような空気調和装置の室内機では、空気調和装置の室内機を簡潔に見せたい場合であっても、表示部が必要以上に目立ってしまう等により、室内機の見映えが損なわれてしまうことがある。
【０００８】
しかし、請求項１に係る空気調和装置の室内機では、表示部は、室内機の正面部分に配置されるのではなく、下面部分に配置されている。これにより、室内機の正面視において表示部が必要以上に目立つことを抑え、室内機の意匠性を向上させることができるようになる。また、請求項１に係る空気調和装置の室内機では、下面部のうち少なくとも表示部の近傍部分は、表示部の下端部分よりも上になるように配置されている。このため、表示部が表示部周辺の下面部によって遮蔽されにくくなるようにすることができる。これによって、表示部が室内機の正面部分に配置されていない場合であっても、室内機の表示部の視認性を確保することが可能になる。
【０００９】
したがって、空気調和装置の室内機の意匠性を向上させることができ、なおかつ、室内にいる人間に対して運転情報を視認させることが可能になる。
請求項２の空気調和装置の室内機は、請求項１に記載の空気調和装置の室内機であって、下面部は、表示部の配置されている近傍部分が上向きに窪んでいる。また、表示部の下端部分は、下面部の下端部分よりも上に配置されている。
【００１０】
ここでは、下面部は、下面部の表示部の配置されている部分の近傍が上向きに窪んでいる。このため、下面部の上向きに窪んだ部分と、下面部の下端部分との間に高低差が生ずる。また、表示部の下端部分は、下面部の下端部分よりも上側になるように配置される。このため、表示部の下端部分は、下面部の上向きに窪んだ部分との間に高低差が生ずる。ここで、表示部の下端部分が下面部の下端部分よりも上側になるように配置されるため、前者の下面部の上向きに窪んだ部分と下面部の下端部分との間の高低差は、後者の表示部の下端部分と下面部の上向きに窪んだ部分との間の高低差よりも大きい。このため、下面部の下端部分よりも表示部の下端部分のほうが上側に奥まって配置されることになるため、表示部に損傷が生じにくいようにすることができる。例えば、輸送時などに、室内機の下面部が地面に接触するようにして室内機を置くことがあっても、表示部には損傷が生じにくいようにすることができるようになる。
【００１１】
請求項３の空気調和装置の室内機は、請求項１または２に記載の空気調和装置の室内機であって、透過部をさらに備えている。透過部は、下面部と略同一平面上において、表示部と接する位置に配置されている。また、この透過部は、光透過性であり、可視光線や赤外線等の光を透過させることができる。ここでの透過部は、透明な部材で形成されたものでもよく、また、表示部と接する位置に形成された空間等であってもよい。
【００１２】
ここでは、表示部と接するようにして光透過性の透過部が設けられているため、透過部越しに表示部の表示を透過させることができる。このため、表示部が表示部周辺の下面部によって遮蔽されにくくなるようにすることができる。これによって、表示部の表示を室内空間にいる人間に対して視認させ易くすることが可能になる。また、この透過部は下面部と略同一平面上に配置されているため、全体の意匠性をできるだけ損なわれないようにして室内機を形成することができる。したがって、表示部が室内機の正面部分に配置されていない場合であっても、室内機全体の意匠性の悪化を抑えつつ、表示部の視認性を向上させることができるようになる。
【００１３】
請求項４の空気調和装置の室内機は、請求項３に記載の空気調和装置の室内機であって、透過部は、表示部よりも前面側に配置されている。ここでの前面側とは、室内機を構成するいくつかの面のうちの壁側を構成している面の方向とは逆側の方向を意味する。
ここでは、透過部が表示部の前面側に配置されているため、室内空間側に向けて透過部越しに表示部の表示を透過させることができるようになる。このため、より効果的に、表示部が表示部周辺の下面部によって遮蔽されにくくなるようにすることができる。これによって、表示部の表示を室内空間にいる人間に対してより視認させ易くすることが可能になる。
【００１４】
請求項５の空気調和装置の室内機は、請求項４に記載の空気調和装置の室内機であって、透過部の上側に受信部を備えている。この受信部は、外部からの無線データを受信することができる。
ここでは、室内機は、遠隔からでも操作可能となるように外部からの無線データを受信することが可能な受信部を備えている。この受信部は透過部の上側に配置されているため、正面視において受信部が必要以上に目立ち過ぎないようにすることができる。また、ここでの透過部は、表示部の視認性を向上させることが可能なだけではなく、データを含んだ赤外線などの無線信号を透過させることもできる。このため、受信部は、外部からの無線データを透過部超しに受信することが可能となる。したがって、室内機の意匠性の悪化を抑えて、一箇所の透過部によって表示部の視認性を向上させつつ無線データの受信も可能となる。
【００１５】
請求項６の空気調和装置の室内機は、請求項１から５のいずれかに記載の空気調和装置の室内機であって、室内機は、略直方体形状である。
ここでは、表示部が下面部分に配置されている。このように室内機の表示部が下面部分に配置されている構造の室内機であっても、例えば、室内機の下面部の前面側において上方に湾曲した湾曲面が形成されており、この湾曲面に続くようにして前面部分が設けられているような室内機のケーシングであって、表示部がその湾曲面に配置されている場合には、表示部が目立ち過ぎてしまう恐れがある。
【００１６】
しかし、請求項６に記載の空気調和装置の室内機は、略直方体形状であり、室内機の前面部分の面と、下面部の面とから構成される角の形状が略直角形状となるように構成されている。このため、室内の人間に対して、室内機の前面部分は下面部分とは別物であるという印象をより明確に与えることができるようになる。これによって、室内機の前面部分が簡素化されているという印象を与えることが可能となる。
【００１７】
請求項７の空気調和装置の室内機は、請求項１から６のいずれかに記載の空気調和装置の室内機であって、表示部は、運転状態を示すための発光素子を有している。
ここでは、表示部は、発光素子を有しているため、この発光素子の発光態様によって空気調和装置の運転状態を示すことができるようになる。これによって、室内空間にいる人間に対して空気調和装置の運転状態を容易に把握させることが可能となる。なお、例えば、室内空間が暗い状態等の時であっても、発光素子の発光によって明るく照らされることにより表示部の視認性が向上するため、室内の人は空気調和装置の運転状態を容易に把握することができるようになる。
【００１８】
請求項８の空気調和装置の室内機は、請求項１から７のいずれかに記載の空気調和装置の室内機であって、前面部をさらに備えている。前面部は、可動するものであって、下端部分が下面部の位置に対応するようにして配置されている。
従来の空気調和装置の室内機では、表示部は、前面部に配置されていることが多い。このように表示部が前面部に配置されている室内機では、前面部が可動した場合に表示部が遮蔽されて室内空間にいる人間が表示部の表示を把握しにくくなる恐れがある。
【００１９】
しかし、請求項８に記載の空気調和装置の室内機では、表示部は、室内機の正面部分に配置されるのではなく、下面部分に配置されている。このため、前面部が可動する場合であっても、表示部が遮蔽されにくいようにすることができる。したがって、前面部が可動する場合であっても、表示部の視認性を確保することが可能になる。
請求項９の空気調和装置の室内機は、請求項８に記載の空気調和装置の室内機であって、前面部は、第１パネルと第２パネルとを有している。この第１パネルと第２パネルとは前面部の可動時に少なくとも一部が重なる。
【００２０】
従来の空気調和装置の室内機では、前面部が第１パネルと第２パネルとを有しており、表示部がこのいずれかのパネルに配置されていることがある。このように表示部が第１パネルと第２パネルとのいずれかに配置されている室内機では、いずれかのパネルが可動して互いの一部に重なりが生じる場合に表示部の一部が遮蔽されて室内空間にいる人間が表示部の表示を把握しにくくなる恐れがある。
【００２１】
しかし、請求項９に記載の空気調和装置の室内機では、表示部は、室内機の正面部分に配置されるのではなく、下面部分に配置されている。このため、前面部が可動して一部に重なりが生じるような場合であっても、表示部が遮蔽されにくい。したがって、前面部が可動して一部に重なりが生じるような場合であっても、表示部の視認性を確保することが可能になる。
【発明の効果】
【００２２】
請求項１に係る空気調和装置の室内機では、空気調和装置の室内機の意匠性を向上させることができ、なおかつ、室内にいる人間に対して運転情報を視認させることが可能になる。
請求項２に係る空気調和装置の室内機では、表示部に損傷が生じにくいようにすることができる。
【００２３】
請求項３に係る空気調和装置の室内機では、表示部が室内機の正面部分に配置されていない場合であっても、室内機全体の意匠性の悪化を抑えつつ、表示部の視認性を向上させることができるようになる。
請求項４に係る空気調和装置の室内機では、表示部の表示を室内空間にいる人間に対してより視認させ易くすることが可能になる。
【００２４】
請求項５に係る空気調和装置の室内機では、室内機の意匠性の悪化を抑えて、一箇所の透過部によって表示部の視認性を向上させつつ無線データの受信も可能となる。
請求項６に係る空気調和装置の室内機では、室内機の前面部分が簡素化されているという印象を与えることが可能となる。
請求項７に係る空気調和装置の室内機では、室内空間にいる人間に対して空気調和装置の運転状態を容易に把握させることが可能となる。
【００２５】
請求項８、９に係る空気調和装置の室内機では、前面部が可動する場合であっても、または前面部が可動して一部に重なりが生じるような場合であっても、表示部の視認性を確保することが可能になる。
【発明を実施するための最良の形態】
【００２６】
［第１実施形態］
図１に、本発明の第１実施形態に係る空気調和装置１００の外観を示す。
＜空気調和装置の全体構成＞
この空気調和装置１００は、室内の壁面などに取り付けられる壁掛け式の室内機１と、室外に設置される室外機２とを備えている。このうち、室内機１の室内機ケーシング３は、略直方体形状に形成されている。
【００２７】
室内機１内及び室外機２内にはそれぞれ熱交換器が収納されており、各熱交換器が冷媒配管により接続されることにより冷媒回路を構成している。
また、図２において示すように、空気調和装置１００に備わる各種機能を離れた場所からでも実行させることができるリモートコントローラ２００によって、室内機１は、制御命令（赤外線の信号）を受信することによって各種の運転を行うことができる。
なお、図１において矢印Ｄ１で示す方向を上下方向Ｄ１とし、矢印Ｄ２で示す方向を左右方向Ｄ２とし、矢印Ｄ３で示す方向を前後方向Ｄ３として、以下説明する。
【００２８】
＜空気調和装置の冷媒回路の構成概略＞
空気調和装置１００の冷媒回路の構成を図３に示す。この冷媒回路は、主として室内熱交換器１０、アキュムレータ２１、圧縮機２２、四路切換弁２３、室外熱交換器２０および膨張弁２４で構成される。
室内機１に設けられている室内熱交換器１０は、接触する空気との間で熱交換を行う。また、室内機１には、室内空気を吸い込んで室内熱交換器１０に通し熱交換が行われた後の空気を室内に排出するためのクロスフローファン１１が設けられている。このクロスフローファン１１は、長細い円筒形状に構成され、中心軸が水平方向に平行になるように配置されている。クロスフローファン１１は、室内機１内に設けられる室内ファンモータ１２によって回転駆動される。これらの室内熱交換器１０、クロスフローファン１１、室内ファンモータ１２は、室内機ケーシング３に収容されている。室内機ケーシング３については後に詳細に説明する。
【００２９】
室外機２には、圧縮機２２と、圧縮機２２の吐出側に接続される四路切換弁２３と、圧縮機２２の吸入側に接続されるアキュムレータ２１と、四路切換弁２３に接続された室外熱交換器２０と、室外熱交換器２０に接続された膨張弁２４とが設けられている。膨張弁２４は、液閉鎖弁２６を介して配管に接続されており、この配管を介して室内熱交換器１０の一端と接続される。また、四路切換弁２３は、ガス閉鎖弁２７を介して配管に接続されており、この配管を介して室内熱交換器１０の他端と接続されている。また、室外機２には、室外熱交換器２０での熱交換後の空気を外部に排出するためのプロペラファン２８が設けられている。このプロペラファン２８は、室外ファンモータ２９によって回転駆動される。
【００３０】
＜室内機の構成＞
室内機１は、空気調和装置１００の外観構成図である図１、室内機１の正面図である図４および室内機１の下面図である図５において示すように、室内機ケーシング３と、表示装置７と、透過パネル８と、受信装置９等とから構成されている。また、室内機ケーシング３は、下面パネル６を有する本体ケーシング４と、前面パネル５とから構成されている。
【００３１】
〔本体ケーシングの構成〕
本体ケーシング４は、図１に示すように、室内機１の室内機ケーシング３のうちの前後方向Ｄ３の後方を構成する。また、本体ケーシング４は、室内熱交換器１０やクロスフローファン１１等を内部に収容する。この本体ケーシング４には、図６（ｂ）に示すように、前後方向Ｄ３の前方に、上下方向Ｄ１の上方において吸込み口１３が、下方において吹出し口１４がそれぞれ設けられている。
【００３２】
本体ケーシング４の下面パネル６は、図１に示すように、室内機ケーシング３の本体ケーシング４のうちの下面部分を構成している。また、下面パネル６には、図５に示すように、空調のための室内空気取り込み口６１と、空気調和装置１００の運転状態を入り切りできる運転スイッチ１１０と、サーミスタの室内空気取り込み口１２０と、表示装置７および透過パネル８を設けるための開口６７、６８とが形成さている。
【００３３】
空調のための室内空気取り込み口６１は、下面パネル６の前後方向Ｄ３の前方において設けられており、室内空気を本体ケーシング４の内部に取り込む。ここで取り込まれた室内空気は、本体ケーシング４内部の熱交換器１０等によって調和され、前面パネル５の前面下パネル５２が移動して形成される吹出し口１４を通じて再び室内に戻される。
運転スイッチ１１０は、下面パネル６のサーミスタの室内空気取り込み口１２０に対して正面視左側に接するように配置されている。運転スイッチ１１０では、リモートコントローラ２００を用いなくても、直接空気調和装置１００の運転状態を入り切りすることができる。この運転スイッチ１１０によると、空気調和装置１００のリモートコントローラ２００が故障した際等に、臨時に空気調和装置１００の運転制御を行うことができる。
【００３４】
サーミスタの室内空気取り込み口１２０は、本体ケーシング４の内部に設けられている図示しないサーミスタに対して、室内空気の温度を測定させるための開口である。このサーミスタの室内空気取り込み口から室内空気が取り込まれることにより、サーミスタが室内温度を感知することができる。
表示装置７および透過パネル８を設けるための開口６７、６８には、図５に示すように、表示装置７および透過パネル８がそれぞれ設置される。
【００３５】
〔前面パネルの構成〕
前面パネル５は、本体ケーシング４に対してその前方の面を覆うように設けられ、室内機１の室内機ケーシング３のうちの前後方向Ｄ３の前方を構成する。前面パネル５は、前面上パネル５１と、前面下パネル５２と、前面中央パネル５３との３つのパネルで構成される。前面上パネル５１と前面下パネル５２は、空気調和装置１００の運転時に可動するパネルであり、可動することによって図６（ｂ）に示すような配置となる。
【００３６】
前面上パネル５１は、図４に示すように、本体ケーシング４の前面の上方に配置され、前面パネル５の上方部分を構成している。前面上パネル５１は、図示しない移動機構によって移動可能に支持されており、図６に示すように、空気調和装置１００の運転時に前後方向Ｄ３の前面側に向けて移動し、本体ケーシング４との間において吸込み口１３を開閉する。吸込み口１３は、室内ファン１１が作動することによって、前面上パネル５１と本体ケーシング４との間に設けられる上下の両方の開口から室内空気を本体ケーシング４の内部に取り込むことができる。また、室内空気の取り込みは、図示しない本体ケーシング４の天面に設けられた別個の吸込み口によっても行われる。
【００３７】
前面下パネル５２は、図４に示すように、室内機１の運転停止時において前面パネル５の下方部分を構成している。前面下パネル５２は、図示しない移動機構によって上下方向Ｄ１の上方側に移動可能に支持されている。前面下パネル５２は、図６に示すように、空気調和装置１００の運転時に上下方向Ｄ１の上方側に向けて点線で示す位置まで移動する。これによって、空気調和装置１００の運転時には、前面下パネル５２の上方部分と前面中央パネル５３の下方部分とが、正面視において一部重なった状態となる。このようにして、前面下パネル５２は、本体ケーシング４の下方に設けられている吹出し口１４を開閉する。
【００３８】
前面中央パネル５３は、図４に示すように、前面上パネル５１と前面下パネル５２との間に配置され、前面パネル５の中央部分を構成している。前面中央パネル５３は、図６に示すように、本体ケーシング４の両側面の一部を覆い、本体ケーシング４の前面部分よりもさらに前後方向Ｄ３の前方に延びて本体ケーシング４の前面中央付近を覆っている。また、この前面中央パネル５３は、空気調和装置１００の運転時においても可動せずに、本体ケーシング４に対して固定されたままの状態を維持する。前面中央パネル５３は、図６（ａ）に示すように、前面中央パネル５３の前面部分が本体ケーシング４に対して前後方向Ｄ３に隙間を隔てるように配置されている。すなわち、前面中央パネル５３の正面視における後方には、本体ケーシング４との間に隙間が形成されている。この隙間は、前面下パネル５２の厚さよりも僅かに大きく形成されており、吹出し口１４を開くために移動する下方パネル５１を収容する空間となっている。
【００３９】
このように、前面上パネル５１は、吸込み口１３を閉じた状態においては、吸込み口１３を含む本体ケーシング４の前面部分の上方を完全に覆い、前面下パネル５２は、吹出し口１４を閉じた状態においては、吹出し口１４を含む本体ケーシング４の前面部分の下方を完全に覆う。また、前面上パネル５１、前面下パネル５２および前面中央パネル５３は、上下に並んで配置されており、吸込み口１３および吹出し口１４が閉じられた状態では、略平坦な長方形の平面を構成するように配置される。前面上パネル５１、前面下パネル５２および前面中央パネル５３によって構成される前面パネル５は、吸込み口１３および吹出し口１４が閉じられた状態では室内機１の前面部分の略全体を覆い、前面上パネル５１、前面下パネル５２および前面中央パネル５３の境目にできる継目のみが正面視において表れる。すなわち、前面上パネル５１と前面中央パネル５３との境目および前面下パネル５２と前面中央パネル５３との境目によって形成される水平方向Ｄ２に延びる継目のみが正面視において表れる。さらに、前面上パネル５１、前面下パネル５２および前面中央パネル５３は上下方向Ｄ１に平行となっており、前面パネル５は、吸込み口１３および吹出し口１４を閉じた状態において、上下方向Ｄ１に平行な平坦面を形成している。この空気調和装置１００の室内機１では、前面パネル５がこのような平坦な形状とされることにより、美観が向上している。
【００４０】
〔表示装置の構成〕
表示装置７は、図５および図７に示すように、下面パネル６の前後方向Ｄ３の前方において表示装置７を設けるために形成された開口６７に設置される。表示装置７は、図８に示すように、下面パネル６の前後方向Ｄ３の前方に設けられた表示パネル７１と、表示パネル７１の上下方向Ｄ１の上方すなわち本体ケーシング４の内側に設けられた制御基板７２と、制御基板７２に取り付けられたＬＥＤ７３とから構成される。
【００４１】
表示パネル７１は、透明の樹脂材料から成型されており、下面パネル６の空調のための室内空気取り込み口６１に対して正面視右側において接しており、左右方向Ｄ２に延びるようにして設けられている。この表示パネル７１は、正面視の室内機１を示す図である図４、側面視の室内機１を示す図である図６および室内機１の斜視図である図７において示すように、下面パネル６よりもさらに下に位置するようにして設けられている。表示パネル７１は、図８に示すように、ＬＥＤ７３が配置される箇所に対応する部分が下に窪むようにして形成されている。
【００４２】
制御基板７２は、図８に示すように、表示パネル７１の内側に設けられている。制御基板７２は、ＬＥＤ７３等を接続する図示しない電気回路を有しており、本体ケーシング４の内部に設けられてクロスフローファン１１の回転制御を行ったり、冷房運転・暖房運転等の運転制御等を行ったりする別個の制御基板と接続されている。これにより、制御基板７２は、空気調和装置１００の運転状態に応じてＬＥＤ７３を点灯させることができる。
【００４３】
この表示装置７のＬＥＤ７３は、図８に示すように、制御基板７２に接続されており、表示パネル７１の上側に配置されている。また、表示装置７のＬＥＤ７３は、正面視において右側から順にタイマー表示ＬＥＤ７３ａと、特殊機能運転表示ＬＥＤ７３ｂと、基本機能運転表示ＬＥＤ７３ｃとによって構成されている。
タイマー表示ＬＥＤ７３ａは、一定時間の間または一定時間の後に空気調和装置１００の運転を入り切りするように設定されている場合に、黄色に発光してタイマー機能が作動中であることを示す。
【００４４】
特殊機能運転表示ＬＥＤ７３ｂは、発光することによって、マイナスイオンを発生させる運転や、光触媒を用いて室外の新鮮な空気を清浄化して室内に取り入れることにより室内空気の清浄化を行う運転等の特殊機能が運転中であることを示す。特殊機能運転表示ＬＥＤ７３ｂは、運転される特殊機能によって発光する色が異なる。発光色が緑の場合には、マイナスイオンを発生させるだけの運転が行われていることを示す。発光色が橙の場合には、光触媒を用いて室外の新鮮な空気を清浄化して室内に取り入れる運転が行われていることを示す。発光色が赤の場合には、マイナスイオンを発生させるとともに光触媒を用いて室外の新鮮な空気を清浄化して室内に取り入れる運転が行われていることを示す。これら３色を区別して発光させることによって運転中の特殊機能の種類を識別して表示することができる。
【００４５】
基本運転機能表示ＬＥＤ７３ｃは、発光することによって、冷房運転、暖房運転、除湿・除湿冷房運転や、加湿・加湿暖房運転の基本機能が運転中であることを表示する。基本運転機能表示ＬＥＤ７３ｃについても、運転される基本機能によって発光する色が異なる。発光色が緑の場合には、冷房運転が行われていることを示す。発光色が赤の場合には、暖房運転が行われていることを示す。発光色が橙の場合には、加湿・加湿暖房運転が行われていることを示す。発光色が黄の場合には、除湿・除湿冷房運転が行われていることを示す。これら４色を区別して発光させることによって、運転中の基本機能の種類を識別して表示することができる。
【００４６】
〔透過パネルの構成〕
透過パネル８は、図５および図７に示すように、透過パネル８を設けるための開口６８に設置されている。このように、透過パネル８は、前後方向Ｄ３の前面側において表示装置７の表示パネル７１と接するようにして、下面パネル６と略同一平面を構成するように設けられている。また、透過パネル８は、光透過性の透明な樹脂で成形されており、可視光線や赤外線等の光を透過させることができる。これによって、透過パネル８は、透過パネル８越しに表示装置７のＬＥＤ７３の発光を透過させることができる。なお、透過パネル８は、表示装置７から見て、室内空間において人間が存在する側に配置されている。このため、室内空間にいる人間が表示装置７のＬＥＤ７３の表示を視認しやすくなる。
【００４７】
〔受信装置の構成〕
受信装置９は、図５および図７において点線で示すように、下面パネル６の前面側において設けられている透過パネル８の上に配置されている。受信装置９は、図示しない制御基板と、制御基板に取り付けられた受光素子とから構成される。
ここでは、透過パネル８が赤外線等の光を透過させることができるために、透過パネル８の上に配置されている受光素子は、リモートコントローラ２００からの無線データを透過パネル８越しに受信することができる。すなわち、透過パネル８は、表示装置７の視認性を向上させるだけではなく、赤外線などの無線データを透過させて受信装置９に受信させることもできる。また、この制御基板は、リモートコントローラ２００から受け取った無線データに基づいて空気調和装置１００の運転制御を行う。これにより、室内機１は、リモートコントローラ２００によって、室内機１から離れた場所からでも運転操作できるようになる。
【００４８】
＜第１実施形態の空気調和装置の室内機の特徴＞
（１）
従来の空気調和装置１００の室内機１では、空気調和装置１００の運転状態等の表示を行うための表示装置７は、前面パネル５に配置されている。室内機１の前面パネル５は、空調対象の室内空間にいる人間の視界に入り易い。このため、表示装置７が必要以上に目立ってしまい、室内機１の見映えが損なわれてしまうことがある。
【００４９】
これに対して、本実施形態の空気調和装置１００の室内機１は、表示装置７を空気調和装置１００の室内機１の下面において設けている。このため、室内空間にいる人間の視界に入り易い前面パネル５を簡素化させることができる。このため、室内機１の意匠性を向上させることができる。また、表示パネル７１を下面パネル６よりも多少下に位置するように配置させて表示装置７の表示内容の視認性を保っていることにより、略直方体型の室内機１の全体形状から生ずる造形美をできるだけ破壊しないで美しく保持させることができる。
【００５０】
また、室内機１に設けられるリモートコントローラ２００の無線データを受信する受信装置９についても、透過パネル８の上方の空間に配置させている。このため、上述と同様に、室内機１の前面パネル５を簡素化させることができ、室内機１の造形美をできるだけ破壊しないで美しく保持させることができる。
（２）
表示装置７を室内機１の下面に配置した場合には、室内の上方空間に配置させるような室内機１であっても、室内空間にいる人が室内機１の設置場所から離れてしまうと表示装置の表示内容が見えにくくなることがある。
【００５１】
これに対して、本実施形態の空気調和装置１００の室内機１は、表示装置の下端部分７１ａが下面パネル６のうちの表示装置７近傍の部分よりも下になるように配置されている。さらに、表示装置の下端部分７１ａが室内空間側の下面パネル６によって遮蔽されにくくするために、表示装置７の室内側に接するようにして透過パネル８が設けられている。このため、室内空間にいる人間が室内機１の設置場所から離れてしまっても、表示装置７による表示を視認することができる。さらに、透過パネル８は、透過パネル８越しに表示装置７のＬＥＤ７３の発光を透過させることができる。このため、表示装置７のＬＥＤ７３が表示装置７周辺の下面パネル６によって遮蔽されにくくなるようにすることができる。これによって、表示装置７のＬＥＤ７３の表示を室内空間にいる人間に対して視認させ易くすることができる。
【００５２】
また、光を通すことができる透過パネル８を受信装置９の下に設けることによって、受信装置９は、空気調和装置１００のリモートコントローラ２００から送信されてくる無線データを受信し易くなる。
（３）
図示しない室内機１の天面を構成する天面パネル部分において表示装置７を配置した場合には、表示装置７による運転状態の表示を視認可能に設置するために室内機１を低い位置に設置しなければならなくなる。この場合には、通常室内の下方空間には様々な物が置かれていたりするために、室内機１が調和空気を再び吸いこんでしまうというショートサーキット現象が生じてしまう恐れがある。このように表示装置７を天面側に設けた場合には、室内機１の空調機能を十分に発揮させることができなくなるため、室内機１の設置場所の確保が難しくなりがちである。
【００５３】
また、室内機１の一方の側面に表示装置７を配置した場合には、他方の側面が簡素化されてきれいに構成されることになる。しかし、室内機１を設置する際に、表示装置７が設けられている側を壁に向けて設置すると表示装置７の視認性が悪くなる恐れがあり、やはり、設置場所が限られてしまう。
このように、表示装置７を、室内機１の天面または側面のいずれに配置しても、室内機１の設置に一定の制約が課かってしまう。
【００５４】
これに対して、本実施形態の空気調和装置１００の室内機１は、表示装置７は室内機１の下面に配置されている。このため、空気調和装置１００の室内機１を室内の上方空間に配置させて、表示装置７を下方の空間から見上げるようにすることができるため、表示装置７の視認性が向上する。
（４）
本実施形態の空気調和装置１００の室内機１には、ＬＥＤ７３が発光することにより運転状態の表示が行われている。このため、室内空間が暗い場合でも、ＬＥＤ７３が発光すことによって、室内空間にいる人間に対して空気調和装置１００の運転状態を明確に示すことができる。このため、室内空間が暗い場合でも、表示装置７の表示を視認することができる。
【００５５】
［第２実施形態］
図９において、本発明の第２実施形態に係る空気調和装置の室内機の表示装置７の近傍を示す。なお、第２実施形態に係る空気調和装置の室内機については、前面パネル５、表示装置７および受信装置９等の構成については上述した第１実施形態に係る室内機１とほぼ同様の形態を採用している。
【００５６】
第２実施形態に係る空気調和装置の室内機では、図９に示すように、透過パネル１０８が、透過パネル８を設けるための開口６８に設置される。また、下面パネル１０６が、室内機ケーシング３の本体ケーシング４のうちの下面部分を構成している。この下面パネル１０６と透過パネル１０８とは、表示パネル７１の近傍部分が上下方向Ｄ１の上向きに窪ませるようにして形成されている。ここでは、図９において示すように、本体ケーシング４に設けられた開口６７の部分から表示装置の下端部分７１ａまでの上下方向Ｄ１の高さｈ１は、本体ケーシング４に設けられた開口６８の部分から下面パネルの下端部分１６２までの上下方向Ｄ１の高さｈ２よりも短い。したがって、表示装置の下端部分７１ａは、下面パネルの下端部分１６２よりも上下方向Ｄ１の上方に配置される。すなわち、表示装置７の全体が下面パネルの下端部分１６２よりも上側に配置されるようになる。
【００５７】
＜第２実施形態の室内機の特徴＞
第２実施形態の空気調和装置の室内機では、第１実施形態の空気調和装置の室内機の特徴を備えており、さらに、これらと重複しない第２実施形態の空気調和装置の室内機に特有の特徴を備えている。
第２実施形態の空気調和装置の室内機では、下面パネル１０６や透過パネル１０８の下端部分が表示装置の下端部分７１ａよりも下に配置されているため、表示装置７が他の物と接触してしまう等によって表示装置７に損傷が生じてしまうことを防ぐことができる。例えば、輸送時などに、第２実施形態の空気調和装置の室内機を、下面パネル１０６が地面に接触するように置くことがあっても、表示装置７の損傷が生ないようにすることができる。
【００５８】
なお、下面パネル１０６や透過パネル１０８の表示装置７の近傍部分は、表示装置の下端部分７１ａよりも上下方向Ｄ１の上方に配置されている。このため、上述した第１実施形態の空気調和装置１００の室内機１と同様に、表示装置７の表示内容の視認性を保つことができる。
［他の実施形態］
以上、本発明の第１実施形態および第２実施形態について説明したが、本発明は上記実施形態に限定されるものではなく、発明の要旨を逸脱しない範囲で種々の変更が可能である。
【００５９】
（Ａ）
上記第１および第２実施形態では、ＬＥＤ７３が表示装置７の内側に配置されて光を放出することによって運転状態を表示する場合について説明した。
しかし、ＬＥＤ７３は表示パネル７１に覆われている構造ではなくてもよく、ＬＥＤ７３が直に外部に露出するような構造で設けられている場合でもよい。この場合であっても、上記空気調和装置１００の室内機１と同様の効果を得ることができる。
【００６０】
（Ｂ）
上記第１および第２実施形態では、表示装置７の視認性向上の目的、若しくは、受信装置９による無線データの受信の目的で、透過パネル８は光透過性の透明な樹脂で成形されている。
しかし、透過パネル８は、透明な樹脂によって形成されているようなものではなく、上記実施形態における透過パネル８を設置するための開口６８部分において設けられた空間であってもよい。このように透過パネル８が透過空間である場合であっても、上記実施形態における室内機１による効果と同様な効果を得ることができる。
【産業上の利用可能性】
【００６１】
本発明によれば、室内機の意匠性を向上させて運転情報を視認させることができるようになるため、室内の上方空間に配置される空気調和装置の室内機にへの適用が特に有用である。
【図面の簡単な説明】
【００６２】
【図１】第１実施形態の空気調和装置の外観構成図。
【図２】空気調和装置とリモートコントローラとの外観構成図。
【図３】空気調和装置の冷媒回路図。
【図４】室内機の正面図。
【図５】室内機の下面図。
【図６】運転開始時の前面パネルの動作を示す室内機の側面図。
【図７】室内機の表示装置近傍の斜視図。
【図８】表示装置の概略図。
【図９】第２実施形態の室内機の表示装置近傍の斜視図。
【符号の説明】
【００６３】
１    室内機
５    前面部（前面パネル）
６    下面部（下面パネル）
７    表示部（表示装置）
８    透過部（透過パネル）
９    受信部（受信装置）
５１，５２，５３    第１パネル、第２パネル（前面上パネル、前面中央パネル、前面下パネル）
７１ａ    表示部の下端部分（表示装置の下端部分）
７３    発光素子（ＬＥＤ）
１００    空気調和装置
１６２    下面部の下端部分（下面パネルの下端部分）
【図１】
2005106398.tif 000003
【図２】
2005106398.tif 000004
【図３】
2005106398.tif 000005
【図４】
2005106398.tif 000006
【図５】
2005106398.tif 000007
【図６】
2005106398.tif 000008
【図７】
2005106398.tif 000009
【図８】
2005106398.tif 000010
【図９】
2005106398.tif 000011